(57)【要約】【課題】  省エネルギーモードであっても確実にデータを受信すると共に、更に一層の省電力化を実現する。【解決手段】省エネルギー制御部１４は、イーサーネットコントローラ１５がデータを受信したことを検出すると、電源供給部４に対して、電源ラインＡをオンにするように指示する。電源供給部４は、ＣＰＵ１及び印刷部２への電源供給を開始する。一方、メモリ制御部１３は、イーサーネットコントローラ１５で受信されたデータを、ＲＡＭ３のブロック０、１、２に対して順に書き込む。この間にＣＰＵ１は通常モードに復帰する。ＣＰＵ１は、復帰すると、ＲＡＭ３に記憶されているデータを用いて、アプリケーション処理や印刷処理を実行する。【選択図】  図１
2006231609.tif 000002
【特許請求の範囲】
【請求項１】
データ処理を行うデータ処理手段を備えたデータ処理装置であって、
データを受信する受信手段と、
領域毎に電源供給が可能であり、前記受信手段により受信されたデータを、電源が供給されている領域において記憶する記憶手段と、
省エネルギーモードでは、前記記憶手段の所定領域に電源を供給し、前記受信手段がデータを受信したときに、省エネルギーモードから通常モードに移行して、更にデータ処理手段に電源供給を開始する電源供給手段と、を備え、
前記データ処理手段は、前記記憶手段の所定領域にデータが記憶されている時間内に復帰して、前記記憶手段の所定領域に記憶されたデータを用いてデータ処理を行うこと
を特徴とするデータ処理装置。
【請求項２】
データ処理を行うデータ処理手段を備えたデータ処理装置であって、
データを受信する受信手段と、
領域毎に電源供給が可能であり、前記受信手段により受信されたデータを、電源が供給されている領域において記憶する記憶手段と、
省エネルギーモードでは、前記受信手段がデータを受信したときに、データ処理手段に電源供給を開始すると共に、前記記憶手段の所定領域に、データが書き込まれる領域の順に電源を順次供給して、省エネルギーモードから通常モードに移行する電源供給手段と、を備え、
前記データ処理手段は、前記記憶手段の所定領域にデータが記憶されている時間内に復帰して、前記記憶手段の所定領域に記憶されたデータを用いてデータ処理を行うこと
を特徴とするデータ処理装置。
【請求項３】
前記電源供給手段は、前記データ処理手段に電源が供給されてから前記データ処理手段が復帰するまでにかかる時間に応じて、前記記憶手段の前記所定領域を変更すること
を特徴とする請求項１または請求項２に記載のデータ処理装置。
【発明の詳細な説明】
【技術分野】
【０００１】
本発明は、データ処理装置に係り、特に通常モードと省エネルギーモードとを切り換えて省電力化を図るデータ処理装置に関する。
【背景技術】
【０００２】
近年、ＯＡ機器に対して省電力化が重要視されつつある一方で、画像処理能力に対する要求の高まりから、複写機に搭載するＣＰＵの消費電力が増大しつつある。そのため、画像処理を行うＣＰＵの消費電力を省エネルギー状態時と同様にすることが求められている。
【０００３】
そこで、省エネルギーモードにおける更なる消費電力の低減を図る省電力機能を有する装置が提案されている（例えば特許文献１を参照。）。特許文献１に記載された画像形成装置は、通常の動作モードと、電源供給の制限された省エネルギーモードと、を切り換えて動作する。
【０００４】
特許文献１の図１に示すように、省エネルギーモードにおいては、メインＣＰＵ１０１を含む非常夜電源系への電力供給が遮断され、サブＣＰＵ１０４に関連する常夜電源系には電力供給が維持される。ネットワークインターフェース１０８、ＦＡＸインターフェースがデータを受信したり、操作部１０７に所定の操作がされると、サブＣＰＵ１０４は、解除指示を発行する。電源制御部１１１は、省エネルギーモードを解除するとともにメインＣＰＵ１０１を含む非常夜電源系への電力供給を再開する。
【０００５】
このような構成の画像形成装置において、省エネルギーモードのときに、プリントデータ等のデータを受信すると、メインのＣＰＵ１０１が復帰するまで、そのデータはデータ格納用メモリ１０６に格納される。これにより、特許文献１の画像形成装置は、省エネルギーモードであっても、ネットワークやＦＡＸなどの外部機器からのデータを受信できる。
【特許文献１】特開２００４−５０２９号公報
【発明の開示】
【発明が解決しようとする課題】
【０００６】
しかし、特許文献１に記載された技術でも、省エネルギー時にサブＣＰＵおよぼメモリの電源は入っており、更に省電力化が求められている。また。段階的な省エネルギー状態に対しても対応できていない。
【０００７】
さらに、コストダウンを図るために、上記データ格納用のメモリと他の処理に用いる画像バッファメモリとを共用することが考えられる。しかし、メモリを共用すると、メモリサイズが大きくなってしまい、省エネルギー時の消費電力が増大してしまうという問題がある。
【０００８】
本発明は、上述した課題を解決するために提案されたものであり、省エネルギーモードであっても確実にデータを受信すると共に、更に一層の省電力化を実現することができるデータ処理装置を提供することを目的とする。
【課題を解決するための手段】
【０００９】
上述した課題を解決するために、本発明の第１の態様であるデータ処理装置は、データ処理を行うデータ処理手段を備えたデータ処理装置であって、データを受信する受信手段と、領域毎に電源供給が可能であり、前記受信手段により受信されたデータを、電源が供給されている領域において記憶する記憶手段と、省エネルギーモードでは、前記記憶手段の所定領域に電源を供給し、前記受信手段がデータを受信したときに、省エネルギーモードから通常モードに移行して、更にデータ処理手段に電源供給を開始する電源供給手段と、を備え、前記データ処理手段は、前記記憶手段の所定領域にデータが記憶されている時間内に復帰して、前記記憶手段の所定領域に記憶されたデータを用いてデータ処理を行うことを特徴とする。
【００１０】
データ処理手段は、電源供給手段から電源が供給されているときに動作可能であり、所定のデータ処理を行う。受信手段は、外部から送信されたデータを受信する。
【００１１】
記憶手段は、所定の領域毎に分けられ、領域毎に電源供給が可能である。そして、記憶手段は、電源が供給されている領域において、受信手段が受信したデータを記憶する。
【００１２】
電源供給手段は、省エネルギーモードでは、記憶手段の所定領域に電源を供給する。これにより、記憶手段の所定領域のみがデータを記憶できる。さらに、電源供給手段は、受信手段がデータを受信したときに、更にデータ処理手段に電源供給を開始する。これにより、データ処理手段は、起動し始める。
【００１３】
そして、データ処理手段は、記憶手段の所定領域にデータが記憶されている時間内に復帰する。さらに、記憶手段の所定領域に記憶されたデータを用いてデータ処理を行う。
【００１４】
したがって、上記画像形成装置によれば、省エネルギーモードでは、記憶手段の所定領域に電源を供給することにより、省エネルギーモードの一層の省電力化を図りつつ、省エネルギーモードに受信したデータであっても確実にデータ処理を行うことができる。
【００１５】
また、本発明の第２の態様であるデータ処理装置は、データ処理を行うデータ処理手段を備えたデータ処理装置であって、データを受信する受信手段と、領域毎に電源供給が可能であり、前記受信手段により受信されたデータを、電源が供給されている領域において記憶する記憶手段と、省エネルギーモードでは、前記受信手段がデータを受信したときに、データ処理手段に電源供給を開始すると共に、前記記憶手段の所定領域に、データが書き込まれる領域の順に電源を順次供給して、省エネルギーモードから通常モードに移行する電源供給手段と、を備え、前記データ処理手段は、前記記憶手段の所定領域にデータが記憶されている時間内に復帰して、前記記憶手段の所定領域に記憶されたデータを用いてデータ処理を行うことを特徴とする。
【００１６】
電源供給手段は、省エネルギーモードにおいて、受信手段がデータを受信したときに、データ処理手段に電源供給を開始する。これにより、データ処理手段が起動し始める。このとき更に、電源供給手段は、記憶手段の所定領域に、データが書き込まれる領域の順に電源を順次供給する。これにより、記憶手段は、受信手段が受信したデータを確実に記憶できる。
【００１７】
したがって、上記画像形成装置によれば、省エネルギーモードにおいて、受信手段がデータを受信したときに、記憶手段の所定領域に、データが書き込まれる領域の順に電源を順次供給することにより、省エネルギーモードの一層の省電力化を図りつつ、省エネルギーモードに受信したデータであっても確実にデータ処理を行うことができる。
【００１８】
上記発明において、前記電源供給手段は、前記データ処理手段に電源が供給されてから前記データ処理手段が復帰するまでにかかる時間に応じて、前記記憶手段の前記所定領域を変更してもよい。
【００１９】
これにより、様々な省エネルギーモードが存在する場合であっても、最適な消費電力の削減を行うことができる。
【発明の効果】
【００２０】
本発明に係るデータ処理装置によれば、省エネルギーモードの一層の省電力化を図りつつ、省エネルギーモードに受信したデータであっても確実にデータ処理を行うことができる。
【発明を実施するための最良の形態】
【００２１】
以下、本発明の好ましい実施の形態について図面を参照しながら詳細に説明する。
【００２２】
図１は、本発明の実施の形態に係る画像形成装置の構成を示すブロック図である。
【００２３】
画像形成装置は、アプリケーションを用いて所定の処理を行うＣＰＵ１と、ＣＰＵ１で処理されたデータの印刷を行う印刷部２と、省エネルギーモードのときに外部からの送信されたデータを記憶するＲＡＭ３と、各部位に電源を供給する電源供給部４と、動作モードに応じて様々な制御を行う制御ユニット５、とを備えている。
【００２４】
ＲＡＭ３は、ブロック毎に分割され、ブロック０、１、２、…の各々に独立して電源の供給が可能であり、電源が供給されているブロックのみでデータを記憶する。なお、本実施形態では、ＲＡＭ３は複数のブロックで構成されているが、複数のＲＡＭで構成されたものでもよい。
【００２５】
電源供給部４は、ＣＰＵ１及び印刷部２に対しては電源ラインＡを介して電源を供給し、ＲＡＭ３及び制御ユニット４に対しては電源ラインＢを介して電源を供給する。電源ラインＡは、通常モードではオンになり、省エネルギーモードではオフになる。電源ラインＢは、常時オンである。
【００２６】
制御ユニット５は、ＣＰＵ１との間でデータの送受信を行うＣＰＵインタフェース１１と、印刷部２を制御する印刷出力制御部１２と、ＲＡＭ３へのデータの書き込み及び読み出しを制御するメモリ制御部１３と、電源供給部４を制御する省エネルギー制御部１４と、イーサーネット２０を介して外部から供給されたデータを受信するイーサーネットコントローラ１５とを備えている。なお、ＣＰＵインタフェース１１、印刷出力制御部１２、メモリ制御部１３、省エネルギー制御部１４、イーサーネットコントローラ１５は、内部バスにより相互に接続されている。
【００２７】
以上のように構成された画像形成装置は、通常モードと省エネルギーモードとを切り換えて、次のように動作する。
【００２８】
（通常モード）
通常モードでは、電源供給部４は、電源ラインＡ及びＢを介して、ＣＰＵ１、印刷部２、ＲＡＭ３及び制御ユニット５に電源を供給する。このため、ＣＰＵ１は、例えば、アプリケーションを用いて所定の処理を行った後、処理済みのデータを印刷部２に印刷させたり、イーサーネット２０から送信されてきたデータを印刷部２に印刷させることができる。
【００２９】
（省エネルギーモード）
ＣＰＵ１が所定時間以上処理を実行しなかったり、所定時刻（例えば０時）になると、通常モードから省エネルギーモードに移行する。省エネルギーモードでは、電源供給部４は、電源ラインＢを介して、ＲＡＭ３及び制御ユニット５のみに電源を供給する。なお、電源供給部４は、ＲＡＭ３に対しては、ブロック０、１、２のみに電源を供給し、他のブロックには電源を供給しない。
【００３０】
ＲＡＭ３のブロック０、１、２及び制御ユニット５には電源が供給されており、これらは常時動作可能である。一方、ＣＰＵ１、印刷部２、ＲＡＭ３のブロック３、４、…には電源が供給されていないので、これらは電力を消費していない。
【００３１】
したがって、画像形成装置は、ＣＰＵ１、印刷部２への電源供給を停止するだけでなく、ＲＡＭ３の一部のブロックへの電源供給を停止することにより、必要最小限の部位のみに電源を供給するので、従来に比べて更に省電力化を図ることができる。
【００３２】
制御ユニット５の省エネルギー制御部１４は、イーサーネットコントローラ１５がデータを受信したことを検出すると、電源供給部４に対して、電源ラインＡをオンにするように指示する。電源供給部４は、省エネルギー制御部１４からの指示を受けると、更に電源ラインＡを介してＣＰＵ１及び印刷部２への電源供給を開始する。
【００３３】
一方、メモリ制御部１３は、イーサーネットコントローラ１５で受信されたデータを、ＲＡＭ３のブロック０、１、２に対して順に書き込む。この間にＣＰＵ１は通常モードに復帰する。
【００３４】
なお、省エネルギーモードのときに電源が供給されるＲＡＭ３のブロックの個数は、ＣＰＵ１の復帰時間に応じて決定される。具体的には、ＲＡＭ３のブロック０、１、２にデータが書き込まれる時間は、ＣＰＵ１に電源が供給されてから復帰するまでの時間よりも長くなるように、上記ブロックの個数は決定されている。
【００３５】
そして、ＣＰＵ１は、完全に復帰すると省エネルギーモードから通常モードに移行し、ＲＡＭ３に記憶されているデータを用いて、アプリケーション処理や印刷処理を実行する。これにより、ＣＰＵ１は、省エネルギーモードのときに受信したデータについても、所定の処理を実行することができる。
【００３６】
以上のように、本発明の実施の形態に係る画像形成装置は、省エネルギーモードのときに受信されたデータを格納するＲＡＭ３を複数のブロックに分割し、省エネルギーモードにおいてもＲＡＭ３の一部のブロックに電源を供給して、ブロックごとに電源を管理する。
【００３７】
これにより、画像形成装置は、省エネルギーモードの一層の省電力化を図りつつ、省エネルギーモードのときにデータを受信した場合には、そのデータを確実にＲＡＭ３に記憶しておき、通常モードに復帰した後に、そのデータを用いてデータ処理を確実に行うことができる。
【００３８】
なお、本発明は、上述した実施の形態に限定されるものではなく、特許請求の範囲に記載された範囲内で設計上の変更をされたものにも適用可能であるのは勿論である。
【００３９】
上記実施形態では、電源供給部４は、省エネルギーモードにおいて、ＲＡＭ３に電源を供給したが、ＲＡＭ３への電源の供給を停止してもよい。この場合、電源供給部４は、イーサーネットコントローラ１５がデータを受信したことを検出したときに、ＲＡＭ３のブロック０、１、２に順に電源を供給すればよい。電源供給の順序は、ブロックにデータが書き込まれる順序と同じである。これにより、上記画像形成装置は、省エネルギーモードの省電力化を一層向上させると共に、省エネルギーモードのときに受信したデータについても確実に処理を行うことができる。
【００４０】
また、省エネルギーモードが複数存在する場合、省エネルギー制御部１４は、ＣＰＵ１が各々の省エネルギーモードから通常モードに移行するまでの時間に応じて、ＲＡＭ３の電源供給の対象となるブロック（ブロック数）を変更して、変更したブロックのみに電源を供給すればよい。
【００４１】
これにより、上記画像形成装置は、段階的な省エネルギーモードが存在する場合であっても各々の省エネルギーモードに対応でき、そのときに受信したデータを用いてデータ処理を行うことができる。
【図面の簡単な説明】
【００４２】
【図１】本発明の実施の形態に係る画像形成装置の構成を示しブロック図である。
【符号の説明】
【００４３】
１  ＣＰＵ
２  印刷部
３  ＲＡＭ
４  電源供給部
５  制御ユニット
１１  ＣＰＵインターフェース
１２  印刷出力制御部
１３  メモリ制御部
１４  省エネルギー制御部
１５  イーサーネットコントローラ
２０  イーサーネット
【図１】
2006231609.tif 000003